(57)【要約】【課題】表示装置の輝度調節について、使用者が実際に受けるまぶしさ加減に応じて自動化することを目的とする。【解決手段】使用者の瞳孔径を測定する瞳孔測定部５と、画像、文字を表示する表示部１と、表示部の表示画面を制御する表示制御部２と、瞳孔測定部が出力する瞳孔径の情報に基づいて表示部の輝度を調節する輝度制御部４とを備えた表示装置であり、使用者の瞳孔を自動測定して、その瞳孔情報によって表示部として適切な輝度に自動調節されるので、使用者のまぶしさの感じ方に適した、見やすい輝度で表示することができる。【選択図】図１
2007316492.tif 000002
【特許請求の範囲】
【請求項１】
画像、文字を表示する表示部と、
前記表示部の表示画面を制御する表示制御部と、
使用者の瞳孔径を測定する瞳孔測定部と、
前記瞳孔測定部が出力する瞳孔径の情報に基づいて前記表示部の輝度を調節する輝度制御部と、
を備えたことを特徴とする表示装置。
【請求項２】
輝度を手動で調節する輝度調節部を備え、
前記輝度制御部において、
使用者が前記輝度調節部によって手動で輝度調節した場合の輝度情報と、
前記瞳孔測定部が出力した瞳孔情報との関係を学習して前記表示部の輝度を調節することを特徴とする請求項１に記載の表示装置。
【発明の詳細な説明】
【技術分野】
【０００１】
本発明はパーソナルコンピュータのような情報機器（以下パソコン）の表示装置に関し、詳しくは輝度調節を行う表示装置に関するものである。
【背景技術】
【０００２】
従来のパソコンに使用される液晶パネルを用いた表示装置の輝度調節は手動で行うか、または、使用環境の周囲の照度または照度の変化を計測し、それに応じて表示装置の輝度を調節している（例えば特許文献１参照）。
【０００３】
図４は上記特許文献１に記載された従来の表示装置の構成を示すブロック図である。
【０００４】
図４において、１はＣＲＴや液晶パネル等による表示部であり、表示制御部２は表示部１の表示を制御している。３は操作者が表示部１の輝度を調節するための輝度調節部であり、可変抵抗器等により輝度調節のための電圧を手動で変更するようになっている。１４は輝度調節部３から得られる情報をもとに、表示部１の輝度を制御する輝度制御部、１５は使用環境の周囲の照度または照度の変化を計測するための照度測定部で、硫化カドミウムなどの照度センサーが使用されている。また、６は表示部１の輝度調節を自動または手動のどちらで行うかの選択を行う輝度調節選択部である。
【０００５】
以上のように構成された従来の表示装置において、輝度制御部１４は照度測定部１５が出力する照度情報と輝度調節部３が出力する輝度情報とによって輝度を調節し、かつ輝度を自動調節する場合および手動で輝度調節した場合の輝度情報と、その時の照度測定部１５が出力した照度情報との関係を学習して表示部１の輝度を調節している。
【特許文献１】特開平５−１７３５２９号公報
【発明の開示】
【発明が解決しようとする課題】
【０００６】
しかしながら、上記従来の構成では使用者が受ける表示装置のまぶしさ加減を使用環境の照度を測定することで代用しているために、表示装置の設置状況によっては照度センサーが影に入ったりすることで、実際に使用者がまぶしさを感じる感じ方と、測定された使用環境の周囲の照度または照度の変化とは異なる場合があった。
【０００７】
本発明は、上記従来の課題を解決するもので、使用者が実際に受けるまぶしさ加減を判断して、表示部の輝度を適切に調節することのできる表示装置の提供を目的とする。
【課題を解決するための手段】
【０００８】
上記従来の課題を解決するために、本発明の表示装置は、
画像、文字を表示する表示部と、
前記表示部の表示画面を制御する表示制御部と、
使用者の瞳孔径を測定する瞳孔測定部と、
前記瞳孔測定部が出力する瞳孔径の情報に基づいて前記表示部の輝度を調節する輝度制御部と、を備えたことを特徴とする表示装置
としたものである。
【０００９】
本構成によって、表示装置の使用者のまぶしさ加減によって変化する瞳孔の大きさを自動測定して、その使用者に適切な表示装置の輝度を得ることができる。
【発明の効果】
【００１０】
本発明の表示装置によれば、使用者の瞳孔を自動測定して、その瞳孔情報によって表示部として適切な輝度に自動調節される。使用者個人に応じた輝度とするために手動調節して学習させておくことで、自動調節時にはこの学習データが適用されて使用者のまぶしさの感じ方に適した、見やすい輝度の表示部とすることができる。
【発明を実施するための最良の形態】
【００１１】
以下本発明を実施するための最良の形態について、図面を参照しながら説明する。
【００１２】
（実施の形態１）
図１は本発明の実施の形態１における表示装置の構成を示すブロック図である。
【００１３】
図１において、表示部１、表示制御部２、輝度調節部３、および輝度調節選択部６は従来例の図４と同一機能であり、説明を省略する。
【００１４】
図１において、瞳孔測定部５は表示装置を使用する使用者の瞳孔の大きさ（径）を測定する。瞳孔測定部５に関して、瞳孔径の測定装置としては正確に測定する場合は眼科医療用の測定器もあるが、パソコンに付属して用いるテレビ電話向けのＣＣＤｗｅｂカメラと画像処理で簡易的に計測することは可能である。瞳孔測定部５出力の瞳孔情報は輝度制御部４に入力される。この輝度制御部４は、使用者が手動調整して得た輝度情報のみ、またはこの手動調整した輝度情報と前述の瞳孔測定部５が出力する瞳孔情報と対応づけられて学習した輝度情報により、表示部１の輝度を自動調節する。
【００１５】
以上の構成によって、表示部１の輝度調節は、瞳孔測定部５が使用者の瞳孔の状態を常時監視しながら、瞳孔径を測定して瞳孔情報を作り出し、輝度制御部４に入力している。輝度制御部４では入力された瞳孔情報の瞳孔の大きさやその変化量に応じた信号により自動的に表示部１の輝度調節を行う。
【００１６】
図２は瞳孔径と表示装置の輝度の関係を示したグラフである。
【００１７】
図２において、瞳孔測定部５で使用者の虹彩径Ｂに対する瞳孔径Ａの割合を逐次測定する。Ａ／Ｂの値に応じて輝度制御部４は表示制御部２に対して輝度制御を行う。液晶パネルによる表示装置ではバックライト、または液晶パネルのバックライトの透過量を調節して輝度を変化させる。
【００１８】
また、図２に示すように輝度調整部３によって使用者が手動でこのパラメータを可変することも可能である。このグラフに対応した瞳孔径、手動輝度調整−表示装置輝度のデータテーブルは輝度制御部４内の記憶部に格納されている。
【００１９】
なお、図２のグラフでは瞳孔径−表示装置輝度の関係は直線的に変化するものとして表示しているが、この関係は人種による差、個人差もあるので、その最適な関係は多く実測データに基づいて統計的に求める。
【００２０】
また、使用者が輝度調節部３に設けた輝度調節スイッチによって輝度を調節した場合は、その調節データが輝度情報として輝度制御部４に入力され、その調節データにより輝度を調節することは前述のとおりである。その調節データはその時の瞳孔情報とともに、輝度制御部４の記憶部に格納される。そして以後の瞳孔情報による自動輝度調節の調節データとして使用する。なお、輝度の手動または自動の調節は輝度調節選択部６によって選択できることは従来と同様である。
【００２１】
これにより、使用者のまぶしさの感じ方に応じた表示部の輝度の自動調節が可能になる。
【００２２】
図３は図１の構成から、輝度調節部３と輝度調節選択部６を除去している。表示部１と、表示制御部２、瞳孔測定部５は実施の形態１の図１と同一の機能である。輝度制御部７は前述の瞳孔径−表示装置輝度の固定的なデータテーブルで記憶している。これは使用条件が限定的で手動調整が不要な場合の構成である。なお、このテーブルは書き換え可能なテーブルとしてもよい。
【００２３】
なお、上記これらの実施の形態において、瞳孔の大きさを測定するセンサーとして赤外線ＣＣＤカメラを用いたが、瞳孔を測定できるものであれば他の手段を用いてもよいことは言うまでもない。
【００２４】
また図２の説明では、輝度調整部３によって使用者が手動でこのパラメータを可変できるとしたが、使用者の手動による輝度調整のパラメータに代えてパソコンの周囲照度を測定する照度測定手段を備え、この測定照度をパラメータとしたグラフとデータテーブルを設定してもよい。
【００２５】
また、主にパソコンのような情報機器の表示装置を例にして説明したがこれに限るものではなく、カーナビ、携帯電話の表示部、一般のテレビセットであってもよいことは言うまでもない。
【産業上の利用可能性】
【００２６】
本発明にかかる表示装置は、使用者の瞳孔を自動測定して、その瞳孔情報によって表示部として適切な輝度に自動調節されるので、使用者のまぶしさの感じ方に適した、見やすい輝度で表示することができるといった効果を有し、パソコンのような情報機器の表示装置の輝度調節等として有用である。
【図面の簡単な説明】
【００２７】
【図１】本発明の実施の形態における表示装置の構成を示すブロック図
【図２】瞳孔径と表示装置の輝度の関係を示したグラフ
【図３】本発明の実施の形態１における別の表示装置の構成を示すブロック図
【図４】従来の表示装置の構成図
【符号の説明】
【００２８】
１  表示部
２  表示制御部
３  輝度調節部
４、７  輝度制御部
５  瞳孔測定部
６  輝度調節選択部
【図１】
2007316492.tif 000003
【図２】
2007316492.tif 000004
【図３】
2007316492.tif 000005
【図４】
2007316492.tif 000006